(57)【要約】【課題】出入り口側と室外側の幅が異なる居室空間を有効に使用し、バス空間とトイレ空間をそれぞれ別個に設ける。【解決手段】  集合型宿泊施設の曲面形状部に設けられた、出入り口側の幅よりも部屋奥側の幅が大きい居室Ａにおいて、隣り合う居室Ａとの間を仕切る左右の壁１・１のうち、一方の壁１側に、出入り口側から居室Ａの奥行き方向に、順にトイレ空間４とバス空間５を並べて配置する。他方の壁側には、寝台空間８と机７を並べて配置する。バス空間５には、出切り口側から居室Ａの奥行き方向に、順に洗面台１１とバスタブ１２を並べて配し、かつ、バスタブ１２はその長手方向を、部屋の幅方向とほぼ平行にする。【選択図】図１
0003133897.tif 000002
【実用新案登録請求の範囲】
【請求項１】
集合型宿泊施設の曲面形状部に設けられた、出入り口側の幅よりも部屋奥側の幅が大きい居室において、
隣り合う居室との間を仕切る左右の壁のうち、一方の壁側に、出入り口側から居室の奥行き方向に、順にトイレ空間とバス空間を並べて配置し、
他方の壁側には、寝台空間と机を並べて配置してなる
バス空間とトイレ空間を別個に備える集合型宿泊施設の居室。
【請求項２】
バス空間には、出切り口側から居室の奥行き方向に、順に洗面台とバスタブを並べて配し、かつ、バスタブはその長手方向を、部屋の幅方向にとほぼ平行にしたことを特徴とする請求項１記載のバス空間とトイレ空間を別個に備える集合型宿泊施設の居室。
【考案の詳細な説明】
【技術分野】
【０００１】
本発明は、ホテルや寮などとして使用する集合型宿泊施設に関するもので、特に各居室がバスとトイレを別個に備える集合型宿泊施設の居室に関するものである。
【背景技術】
【０００２】
ホテルや寮などとして使用される宿泊施設は、それぞれ個室である、出来るだけ多数の居室を、ひとつのフロアに設けることが望まれる。
その手段として、トイレ空間とバス空間を一つにしたユニット形式のバスを使用することが広く採用されている。
このようにバスとトイレを一つの共用空間の中に設けることで、出来る限りその他の空間を大きく取ることが可能となるものである。
【０００３】
しかしながら、このようなバス空間とトイレ空間が一つとなったユニット形式のバスでは、バスタブもトイレも標準よりも小さ目のものが使用されており、ゆったりとした姿勢で入浴や洗面などが行えないという不満があった。
他方、宿泊者の中には、バスとトイレが同じ空間にあるというのには、衛生面でどうにも馴染めない人もいる。
出来れば、バスとトイレは別のスペースに配置して、バスからはトイレが、トイレからバスが見えないようにすることが望ましい。
しかしながら、トイレとバスを別々の空間にすると、部屋の空間をそれだけ広く占めてしまうもので、寝室や簡易の執務室などとしての空間が大きく取れないという課題となっていた。
【０００４】
他方、集合型宿泊施設としての建造物の中で、外観が円弧を描くように曲面形状を成す建造物が存在する。
このような外観を有する建物では、曲面を描く部分のフロアの形状で、ほぼ同じ大きさの居室を得ようとすれば、曲面の中心点から曲面側に向って延びる半径上に位置した壁によって仕切る必要がある。
つまりは、建物の内側よりも、外側の方が幅が広い、扇状の部屋となるよう仕切ることになる。
このような曲面形状部を有する集合型宿泊施設では、この曲面形状部の形状を生かしたスペースの有効利用が望まれている。
【特許文献１】実開平６−８２３０４号公報
【考案の開示】
【考案が解決しようとする課題】
【０００５】
解決しようとする課題は、出来る限り小さな居室でありながら、バス空間とトイレ空間を別個に備え、それぞれ空間も充分大きくするものである。
【課題を解決するための手段】
【０００６】
この考案にかかるバス空間とトイレ空間を別個に備える集合型宿泊施設の居室は、
集合型宿泊施設の曲面形状部に設けられた、出入り口側の幅よりも部屋奥側の幅が大きい居室において、
隣り合う居室との間を仕切る左右の壁のうち、一方の壁側に、出入り口側から居室の奥行き方向に、順にトイレ空間とバス空間を並べて配置し、
他方の壁側には、寝台空間と机を並べて配置するものである。
また、この考案にかかる他のバス空間とトイレ空間を別個に備える集合型宿泊施設の居室は、
バス空間には、出切り口側から居室の奥行き方向に、順に洗面台とバスタブを並べて配し、かつ、バスタブはその長手方向を、部屋の幅方向とほぼ平行にするものである。
【考案の効果】
【０００７】
この考案は以上のような構成を有するため、以下の効果を得ることが可能である。
＜ａ＞バス空間とトイレ空間を別個にして居室の中に設けたため、衛生的にも、感覚的にも、心地良い滞在空間となる。
＜ｂ＞バス空間とトイレ空間を別個に設けたため、バスタブや便器も比較的大きなサイズを使用でき、入浴、洗面、排便において、ゆとりのある空間となる。
＜ｃ＞居室の一方の壁側に、出入り口側から居室の奥行き方向に、比較的狭い幅でよいトイレ空間と、より広い幅が必要なバス空間を並べて配置することにより、部屋奥の幅がより大きいという居室の特性を活かした空間活用が可能となる。
＜ｄ＞他方の壁側には、寝台空間と机を並べて配置するため、寝台空間としては、入り口側から部屋奥までの幅がほぼ同じな、ほぼ長方形の無駄の無い空間を確保することが出来る。
＜ｅ＞バス空間には、バスタブの長手方向を部屋の幅方向とほぼ同じに配置するため、より幅の大きな部屋奥の空間をより有効に活用できる。
＜ｆ＞入浴中にトイレ便器が視覚に入ることがないので、快適な入浴が可能となる。
【考案を実施するための最良の形態】
【０００８】
＜１＞居室
図２において示すのは、建物外観の一部が曲面形状を成した建物の曲面部分の平面図である。
この曲面形状部分を、曲面の中心点から延ばした半径上をなぞる壁１によって仕切って、複数個の居室Ａが形成してある。
図１において、居室Ａの下方は建物内部側であり、上方は建物外部側となっており、建物内部側よりも建物外部側の幅がより大きな、ほぼ扇形の居室Ａとなっている。
居室Ａは、建物内部の通路から、ドア２を開けて出入り可能であって、建物外側に向けて、窓３が開口している。
【０００９】
＜２＞配置
左右の壁１・１のうち、一方の壁１ａ（図１では左側）側には、部屋入り口側から部屋奥側に向って、順にトイレ空間４とバス空間５が設けられている。
トイレ空間４とバス空間５との間は、壁６によって仕切られている。
左右の壁１・１のうち、他方の壁１ｂ（図１では右側）側には、机７と寝台空間８が設けられている。
机７は、居室Ａの出入り口側に配置され、寝台空間８は建物外部側に配置されている。
【００１０】
＜３＞トイレ空間
トイレ空間４内には、便器９が設置されている。
トイレ空間４には、折れ戸１０を開閉して出入りする。
【００１１】
＜４＞バス空間
バス空間５内には、洗面台１１とバスタブ１２が設置されている。
バスタブ１２は、その長手方向が、居室Ａの幅方向となるように設置し、すなわち最も部屋奥側の一番幅が大きな部分に、バスタブ１２が収まることになる。
実施の形態では、１３５０ｍｍ以上の長さのバスタブ１２が、居室Ａの最も奥に収まった。
このように、比較的小さな空間でよいトイレ空間４を出入り口側へ配置し、比較的大きな、しかも長さが大きなバスタブ１２を収納するバス空間５を、部屋奥側へ配置したため、部屋奥へ行くほど、幅が大きくなるという居室Ａの特性を活かした配置となっている。
バス空間４には、ガラス製の開き戸１３から出入り可能となっている。
【００１２】
＜５＞寝台空間
寝台空間８には、ベッド１４が設置されている。
一方の壁１ａ側に、トイレ空間４とバス空間５が設けられたため、寝台空間８は、その出入り口側から部屋奥まで、ほぼ同じ幅を有する長方形のスペースとなっており、使い易いスペースとなっている。
実施例では、幅１２００ｍｍ、長さ２０００mmのベッド１４が設置出来た。
【００１３】
＜６＞その他の空間
机７と寝台空間８は、他方の壁１ｂ側に設置されているが、ドア２からの入退室の支障とならぬよう、出入り口側から、順に机７、ベッド１４と並べて配置する方が好ましい。
実施例では、机７として、天板の大きさが奥行き６５０ｍｍ、幅６５０ｍｍ以上のものを設置している。
【図面の簡単な説明】
【００１４】
【図１】居室の平面図である。
【図２】建物の曲面形状部を仕切って、複数の居室を形成した平面図である。
【００１５】
Ａ：居室
１：壁
２：ドア
３：窓
４：トイレ空間
５：バス空間
６：仕切り壁
７：机
８：寝台空間
９：便器
１０：折れ戸
１１：洗面台
１２：バスタブ
１３：開き戸
１４：ベッド
【図１】
0003133897.tif 000003
【図２】
0003133897.tif 000004